(57)【特許請求の範囲】
【請求項１】
衛生材料に使用される吸収性材料と金属捕集剤を含む溶液とを接触させて前記吸収性材料に含まれる金属が除去され、尿を吸収可能な低金属吸収性部材と、
この低金属吸収性部材より外周が大きく低金属吸収性部材が配設された不透液性裏面シートとを具備し、
前記低金属吸収性部材と前記不透液性裏面シートとは、少なくとも一部が熱融着または超音波接着により接合されており、
前記不透液性裏面シートは、略中央部に切取可能部が設けられている
ことを特徴とする尿検査用衛生材料。
【請求項２】
衛生材料に使用される吸収性材料と金属捕集剤を含む溶液とを接触させて前記吸収性材料に含まれる金属が除去され、尿を吸収可能な低金属吸収性部材と、
この低金属吸収性部材より外周が大きい長方形状の低金属吸収性部材が配設された不透液性裏面シートとを具備し、
前記低金属吸収性部材と前記不透液性裏面シートとは、少なくとも一部が熱融着または超音波接着により接合されており、
前記不透液性裏面シートは、長手方向の中心に位置する折畳線を有し、この折畳線にて、前記不透液性裏面シートの内側に前記低金属吸収性部材を挟み込むように折り畳み可能である
ことを特徴とする尿検査用衛生材料。
【請求項３】
吸収性材料は、天然植物繊維由来の原料からなるガーゼ、脱脂綿および不織布のいずれかにて形成されている
ことを特徴とする請求項１または２記載の尿検査用衛生材料。
【請求項４】
金属捕集剤は、キレート剤であり、
このキレート剤の量は、吸収性材料に含まれる金属と前記キレート剤とが結合する量の理論値の１００倍以上である
ことを特徴とする請求項１ないし３いずれか一記載の尿検査用衛生材料。
【発明の詳細な説明】
【技術分野】
【０００１】
本発明は、尿を回収して検査をするための尿検査用衛生材料に関するものである。
【背景技術】
【０００２】
新生児、特に未熟児の場合、電解質成分を配合した調整液を点滴する。このとき、生育が正常でないと点滴に配合されている電解質成分が身体に吸収されず、尿として排泄されてしまうことがあるので、新生児の体調管理のために尿を採取して検査する。
【０００３】
そして、新生児の尿の検査のために採尿する際には、採尿バッグが使用される（例えば、非特許文献１参照。）。
【０００４】
採尿バッグには、開口部と、この開口部の周りに位置する粘着部とが設けられており、この粘着部を装着者の外陰部に貼り付けることによって装着されて採尿できる。
【０００５】
しかしながら、このような排尿バッグを使用した場合、装着対象が外部からの刺激に影響を受けやすい新生児であるので、粘着部を外陰部に貼り付けるための粘着剤の影響により新生児の皮膚が荒れてしまうことや、採尿バッグを貼り付けたことによるストレスで排尿しなくなってしまう場合があった。
【０００６】
そこで、採尿バッグ以外の採尿する手段として、液透過性身体側ライナーと、液不透過性外カバーと、これら液透過性身体側ライナーと液不透過性外カバーとの間に配置された吸収体と、股領域に配置された回収挿入体とを備え、回収挿入体と吸収体とが流体的に分離され、回収挿入体は、尿の大部分を吸収体で吸収する一方で、検査用に十分な量の尿を吸収して一時的に保持するように構成されているおむつが知られている（例えば、特許文献１参照。）。
【先行技術文献】
【特許文献】
【０００７】
【特許文献１】特表２０１０−５２６５６４号公報（第４−７頁、図１）
【非特許文献１】[online]、アトムメディカル株式会社、[平成２３年１１月４日検索]、インターネット＜ＵＲＬ：http://www.atomed.co.jp/product/pages/d_49001.html#bag＞
【発明の概要】
【発明が解決しようとする課題】
【０００８】
しかしながら、上述の特許文献１の構成では、回収挿入体は、吸収体にて尿の大部分を吸収する一方で、検査用に十分な量の尿を吸収して一時的に保持するように形成されており、回収挿入体としてスポンジやセルロース系材料など種々のものを適宜使用できるとされているが、何れの材料にて回収挿入体が形成されていても、吸収体にて吸収した尿が一緒に回収されてしまい、吸収体に含まれていた金属などの成分が尿と一緒に回収されて尿成分が変化してしまう場合があった。特に、吸収性材料がガーゼおよび脱脂綿などの天然繊維材料にて形成された場合は、吸収性材料からＣａ（カルシウム）成分が溶出してしまう場合があった。このような場合には、実際の尿に含まれているＣａより吸収性材料から回収された尿のカルシウムが高い濃度で検出されてしまい、新生児のＣａ検査を必要とする尿検査において、正確な結果が得られず結果に悪影響をあたえてしまうという問題があった。
【０００９】
なお、特許文献１には、[００１８]段落に回収挿入体は尿成分を変えないものが好ましいと記載されているが、その具体的な手段については記載されておらず、また、吸収性材料にて吸収された尿により尿成分が変化してしまう。
【００１０】
また、回収挿入体と吸収体とを流体的に分離するには、構成が複雑で製造工程が煩雑になるため、容易に製造できない問題が考えられる。
【００１１】
本発明はこのような点に鑑みなされたもので、採尿する際に尿成分が変化しにくく、容易に製造できる尿検査用衛生材料を提供することを目的とする。
【課題を解決するための手段】
【００１２】
請求項１に記載された尿検査用衛生材料は、衛生材料に使用される吸収性材料と金属捕集剤を含む溶液とを接触させて前記吸収性材料に含まれる金属が除去され、尿を吸収可能な低金属吸収性部材と、この低金属吸収性部材より外周が大きく低金属吸収性部材が配設された不透液性裏面シートとを具備し、前記低金属吸収性部材と前記不透液性裏面シートとは、少なくとも一部が熱融着または超音波接着により接合されており、前記不透液性裏面シートは、略中央部に切取可能部が設けられているものである。
【００１３】
請求項２に記載された尿検査用衛生材料は、衛生材料に使用される吸収性材料と金属捕集剤を含む溶液とを接触させて前記吸収性材料に含まれる金属が除去され、尿を吸収可能な低金属吸収性部材と、この低金属吸収性部材より外周が大きい長方形状の低金属吸収性部材が配設された不透液性裏面シートとを具備し、前記低金属吸収性部材と前記不透液性裏面シートとは、少なくとも一部が熱融着または超音波接着により接合されており、前記不透液性裏面シートは、長手方向の中心に位置する折畳線を有し、この折畳線にて、前記不透液性裏面シートの内側に前記低金属吸収性部材を挟み込むように折り畳み可能であるものである。
【００１４】
請求項３に記載された尿検査用衛生材料は、請求項１または２記載の尿検査用衛生材料において、吸収性材料は、天然植物繊維由来の原料からなるガーゼ、脱脂綿および不織布のいずれかにて形成されているものである。
【００１５】
請求項４に記載された尿検査用衛生材料は、請求項１ないし３いずれか一記載の尿検査用衛生材料において、金属捕集剤は、キレート剤であり、このキレート剤の量は、吸収性材料に含まれる金属と前記キレート剤とが結合する量の理論値の１００倍以上であるものである。
【発明の効果】
【００１６】
請求項１に記載された発明によれば、吸収性材料の金属が金属捕集剤により除去された低金属吸収性部材を具備するため、この低金属吸収性部材に尿を吸収させても、吸収性材料に由来する金属が尿に溶出しにくく、採尿する際に尿成分が変化しにくい。
【００１７】
また、金属捕集剤により吸収性材料の金属が除去された低金属吸収性部材を具備する構成であるため、簡単な構成であり容易に製造できる。
【００１８】
さらに、低金属吸収性部材にて吸収した尿を回収する際には、低金属吸収性部材が内側となり不透液性裏面シートが外側となるように折り畳み、切取可能部材を切り取って流出開口部を形成した状態で尿を絞り出すことができるため、尿に触れることなく低金属吸収性部材から尿を回収でき、容易に回収できる。
【００１９】
請求項２に記載された発明によれば、吸収性材料の金属が金属捕集剤により除去された低金属吸収性部材を具備するため、この低金属吸収性部材に尿を吸収させても、吸収性材料に由来する金属が尿に溶出しにくく、採尿する際に尿成分が変化しにくい。
【００２０】
また、金属捕集剤により吸収性材料の金属が除去された低金属吸収性部材を具備する構成であるため、簡単な構成であり容易に製造できる。
【００２１】
さらに、低金属吸収性部材にて吸収した尿を回収する際には、不透液性裏面シートを折線にて折り畳み不透液性裏面シートの内側に前記低金属吸収性部材を挟み込んだ状態で尿を絞り出すことができるため、尿に触れることなく低金属吸収性部材から尿を回収でき、容易に回収できる。
【００２２】
請求項３に記載された発明によれば、吸収性材料が天然植物繊維由来の原料で形成されているため、装着した新生児の肌への影響を少なくできる。
【００２３】
請求項４に記載された発明によれば、吸収性材料と溶液とを接触させる際に金属捕集剤であるキレート剤が過剰であるため、吸収性材料に含まれる金属を確実に除去でき、採尿する際に尿成分が変化しにくい。
【図面の簡単な説明】
【００２４】
【図１】本発明の参考技術の形態に係る尿検査用衛生材料を示す平面図である。
【図２】図１におけるＡ−Ａ断面図である。
【図３】本発明の第１の実施の形態に係る尿検査用衛生材料の裏面側を示す平面図である。
【図４】（ａ）は同上尿検査用衛生材料から尿を回収する際に不透液性裏面シートを折り畳んだ状態を示す斜視図であり、（ｂ）は同上尿検査用衛生材料から尿を回収する際に切取部を切り取った状態を示す斜視図である。
【図５】（ａ）は本発明の第２の実施の形態に係る尿検査用衛生材料を示す構成図であり、（ｂ）は本発明の第２の実施の形態に係る尿検査用衛生材料を示す断面図である。
【図６】（ａ）は同上尿検査用衛生材料から尿を回収する際に不透液性裏面シートを折り畳んだ状態を示す構成図であり、（ｂ）は同上尿検査用衛生材料から尿を回収する際に不透液性裏面シートを折り畳んだ状態を示す断面図である。
【図７】本発明の実施例における試験の工程図である。
【発明を実施するための形態】
【００２５】
以下、本発明の参考技術の構成について図１および図２を参照しながら詳細に説明する。
【００２６】
図１および図２において、１は尿検査用衛生材料であり、この尿検査用衛生材料は、尿検査において、主に未熟児などのような通常の採尿が難しい新生児の尿を回収する際に用いられる。
【００２７】
また、尿検査用衛生材料１は、吸収性材料に金属捕集剤を含む溶液を接触させて形成された低金属吸収性部材２と、この低金属吸収性部材２が配設された不透液性裏面シート３とを備えている。
【００２８】
吸収性材料は、通常、例えばおむつなどの使い捨て吸収性物品のような衛生材料に使用されるものを用いる。
【００２９】
また、吸収性材料は、新生児の採尿に使用することを考慮し、吸収量が１ｍｌ以上１０ｍｌ以下程度であり、大きさが２ｃｍ×２ｃｍ以上１０ｃｍ×１０ｃｍの略正方形状である。
【００３０】
このような吸収性材料は、通常の衛生部材に使用するには全く問題がない程度であるが、尿検査の結果に悪影響を及ぼすカルシウムなどの金属が極微量で含まれている。
【００３１】
そこで、吸収性材料と金属捕集剤を含む溶液とを接触させて、吸収性材料に含まれる金属を除去することにより、金属の含有率が低い低金属吸収性部材２が形成される。
【００３２】
また、吸収性材料は、尿検査用衛生材料１を装着した新生児の肌への影響が少ないように、天然植物由来の原料からなるガーゼ、脱脂綿および不織布のいずれかで形成されることが好ましい。
【００３３】
なお、通常の衛生材料に使用される場合があるポリエステル系またはポリオレフィン系などの合成樹脂不織布は、疎水性であり水溶物を吸収しにくいため、一般的に吸収性を向上させることを目的として界面活性剤が付加されている。
【００３４】
このような合成樹脂不織布を吸収性材料として使用すると、吸収した尿に界面活性剤が溶出し、その後の尿検査の結果に悪影響を及ぼす可能性があるので、界面活性剤が使用された合成樹脂不織布を吸収性材料として用いることは好ましくない。
【００３５】
吸収性材料として化学繊維を用いる場合には、例えばレーヨンやキュプラなどのように原料が天然繊維で、界面活性剤が使用されていないものを用いることが好ましい。
【００３６】
ここで、吸収性材料に含まれる金属としてカルシウムが含まれている場合には、このカルシウムが尿に溶出してしまい、尿検査において、装着者本来の尿である原尿に含まれているカルシウムより多くのカルシウムが検出され、尿検査の結果に悪影響を及ぼしてしまう。
【００３７】
したがって、金属捕集剤は、吸収性材料からカルシウムを正確に除去できるものが好ましい。具体的には、金属捕集剤としては、クエン酸、エチレンジアミン四酢酸（ＥＤＴＡ・２Ｎａ）などのキレート剤や、リン酸または二種類のリン酸化合物を混合したリン酸緩衝成分などが好ましい。
【００３８】
金属捕集剤としてキレート剤を用いる場合におけるキレート剤の量は、吸収性材料に含まれる金属に対してキレート剤が過剰になる量が好ましい。具体的には、吸収性材料に含まれる金属に結合するキレート剤の量の理論値の１００倍以上のキレート剤を用いるとより好ましい。
【００３９】
不透液性裏面シート３は、低金属吸収性部材２より外周が大きい略正方形状であり、この不透液性裏面シート３の略中央に低金属吸収性部材２が配設されている。
【００４０】
また、不透液性裏面シート３は、例えば疎水性または撥水性の合成樹脂フィルムおよび合成樹脂不織布などのように、尿の接触によって金属が溶出しない素材で形成されている。
【００４１】
低金属吸収性部材２を不透液性裏面シート３に配設する際には、低金属吸収性部材２の少なくとも一部を不透液性裏面シート３に接合して接合部４を形成して配設する。
【００４２】
低金属吸収性部材２の一部を不透液性裏面シート３に接合する場合には、低金属吸収性部材２の中央部または周縁部を不透液性裏面シート３に接合する。接合部４の形状は、図１に示すような連続した矩形状だけでなく、間欠的なドット状にしてもよい。
【００４３】
ここで、低金属吸収性部材２と不透液性裏面シート３との接合にホットメルト接着剤などの接着剤を使用すると、接着剤の成分が尿に溶出してしまう可能性があるので、接着剤を使用しないことが好ましく、熱融着または超音波接着により低金属吸収性部材２と不透液性裏面シート３とを接合することが好ましい。
【００４４】
なお、接合方法と素材との相性によっては、低金属吸収性部材２と不透液性裏面シート３との接合強度が弱くなり、低金属吸収性部材２が不透液性裏面シート３から離間または脱落してしまう可能性が考えられる。このような場合には、低金属吸収性部材２を覆うように不透液性裏面シート３から低金属吸収性部材２の外側に図示しないカバーシートを配設する構成にしてもよい。
【００４５】
このようにカバーシートが配設された構成にする場合には、カバーシートは、不透液性裏面シート３と熱融着または超音波接着可能であり、低金属吸収性部材２と同様に金属捕集剤によって金属が除去されたシート体を用いる。
【００４６】
次に、上記参考技術における作用および効果を説明する。
【００４７】
上記尿検査用衛生材料１にて尿を回収する際には、まず、低金属吸収性部材２が装着者である新生児の排泄部位に接触するように、尿検査用衛生材料１を、装着者の股下に直接敷くか、または、おむつなどの使い捨て吸収性物品内に敷いて装着する。
【００４８】
低金属吸収性部材２にて尿を吸収した後に、尿検査用衛生材料１を回収し、低金属吸収性部材２から尿を回収する。
【００４９】
低金属吸収性部材２から尿を回収する際には、例えば不透液性裏面シート３を半分に折り畳み、不透液性裏面シート３の内側に低金属吸収性部材２が位置した状態にする。
【００５０】
また、折り畳んだ状態の不透液性裏面シート３を外側から圧迫して、低金属吸収性部材２を圧縮させることにより、低金属吸収性部材２から尿を絞り出し、不透液性裏面シート３の折り畳まれた箇所の端部から流出させて回収する。
【００５１】
そして、上記尿検査用衛生材料１によれば、金属捕集剤により吸収性材料の金属が除去された低金属吸収性部材２を具備するため、この低金属吸収性部材２に尿を吸収させても、吸収性材料に由来する例えばカルシウムなどの金属が尿に溶出しにくい。したがって、採尿する際に原尿の尿成分が変化しにくく、尿検査用衛生材料１にて回収した尿について正確に尿検査を実施できる。
【００５２】
また、金属捕集剤により吸収性材料の金属が除去された低金属吸収性部材２を具備する簡単な構成であるため、例えば低金属吸収性部材２を不透液性裏面シート３に配設する際に煩雑な作業が不要であり、容易に製造できる。
【００５３】
低金属吸収性部材２は、吸収性部材が天然植物繊維由来の原料で形成されることにより、装着物や付着物などから影響を受けやすい新生児の肌への影響を少なくできる。
【００５４】
また、低金属吸収性部材２は、吸収性材料が天然植物繊維由来の原料で形成され合成樹脂が用いられていないことにより、合成樹脂に由来する界面活性剤が尿に溶出することがないため、原尿の尿成分が変化しにくく、吸収した尿について正確に尿検査を実施できる。
【００５５】
低金属吸収性部材２は、金属捕集剤としてキレート剤を用いることにより、吸収性材料に含まれる金属、特にカルシウムを正確に除去できるので、原尿の尿成分が変化しにくい。
【００５６】
また、キレート剤の量を、吸収性材料に含まれる金属に結合するキレート剤の量の理論値の１００倍以上にすることにより、吸収性材料と溶液とを接触させる際にキレート剤が金属に対して過剰な状態になるため、吸収性材料に含まれる金属を確実に除去でき、原尿の尿成分が変化しにくい。
【００５７】
また、尿検査用衛生材料１は、低金属吸収性部材２が不透液性裏面シート３に配設されているため、低金属吸収性部材２にて吸収した尿が尿検査用衛生材料１から染み出てしまうことを防止でき、衛生的に良好であるとともに、尿を確実に回収できる。
【００５８】
また、低金属吸収性部材２にて吸収した尿を回収する際に、低金属吸収性部材が不透液性裏面シート３の内側に位置するように折り畳んで尿を絞り出すことができ、低金属吸収性部材２に触れることなく尿を回収できるため、回収作業が容易であるとともに、回収者が尿に触れることによる尿成分の変化を防止できる。
【００５９】
さらに、低金属吸収性部材２と不透液性裏面シート３とが熱融着または超音波接着により接合され、接着剤が用いられていないことにより、低金属吸収性部材２に吸収された尿に接着剤の成分が溶出することがなく、接着剤による尿成分の変化を防止できる。
【００６０】
次に、上記尿検査用衛生材料の製造方法を説明する。
【００６１】
尿検査用衛生材料１を製造する際には、まず低金属吸収性部材２を形成する。この低金属吸収性部材２を形成する際には、吸収性材料と金属捕集剤を含む溶液とを接触させて、吸収性材料を溶液中に浸漬する（接触浸漬工程）。
【００６２】
吸収性材料を溶液中に浸漬した状態にて所定時間静置して吸収性材料に含まれる金属を金属捕集剤により十分に除去した後、吸収性材料を溶液から取り出す。
【００６３】
また、取り出した吸収性材料から溶液を洗い出すように洗浄液にて吸収性材料を洗浄して脱水する（洗浄工程）。
【００６４】
この洗浄工程にて用いられる洗浄液としては、例えばイオン交換水が好ましい。なお、イオン交換水にカルシウムなどの金属が含まれている可能性が考えられるが、イオン交換水に含まれている金属の量は、尿検査に影響がない程の極微量のため、尿検査に悪影響を及ぼしにくい。
【００６５】
また、接触浸漬工程にて金属を除去した金属捕集剤が吸収性材料に残留すると、この残留した金属捕集剤により、尿検査の結果に悪影響を及ぼす可能性が考えられるため、洗浄工程では、洗浄と脱水とを繰り返して、金属捕集剤を含む溶液を吸収性材料から確実に洗い出すことが好ましい。
【００６６】
洗浄工程にて洗浄した吸収性材料を乾燥して、低金属吸収性部材２を得る（乾燥工程）。
【００６７】
そして、低金属吸収性部材２を不透液性裏面シート３に熱融着または超音波接着により接合し、不透液性裏面シート３に低金属吸収性部材２を配設して、尿検査用衛生材料１とする。
【００６８】
上記尿検査用衛生材料１の製造方法によれば、低金属吸収性部材２は、吸収性材料に含まれる金属を金属捕集剤により除去して低金属吸収性部材２を形成しているため、この低金属吸収性部材２に尿を吸収させても、吸収性材料に由来する金属が原尿に溶出しにくく、採尿する際に尿成分が変化しにくい。
【００６９】
また、通常の衛生材料に使用される吸収性材料を用いて、接触浸漬工程と、洗浄工程と、乾燥工程とを加えるだけであるため、吸収性材料の製造方法を根本的に変更する必要がなく、特殊な工程を加えることなく容易に製造できる。
【００７０】
さらに、接触浸漬工程と、洗浄工程と、乾燥工程とにより形成した低金属吸収性部材２を不透液性裏面シート３に配設するだけであるため、例えば低金属吸収性部材２を不透液性裏面シート３に配設する際に煩雑な作業などが不要であり、容易に製造できる。
【００７１】
また、通常の衛生材料に使用される吸収性材料を用いているため、吸収性材料として特殊な素材を用いる必要がなく、通常の衛生材料と同様に装着者の肌への影響や吸収量に応じて、様々な素材から吸収性材料を選択できる。
【００７２】
なお、上記参考技術では、低金属吸収性部材２が不透液性裏面シート３に配設された構成としたが、このような構成には限定されず、低金属吸収性部材２が不透液性裏面シート３に配設されていない構成にしてもよい。
【００７３】
また、低金属吸収性部材２および不透液性裏面シート３は、略正方形状の構成としたが、このような構成には限定されず、これら低金属吸収性部材２および不透液性裏面シート３の形状は、尿検査用衛生材料１の装着状態における密着性や装着感などを考慮して適宜設計できる。
【００７４】
また、尿検査用衛生材料１を製造する際には、低金属吸収性部材２を形成した後、低金属吸収性部材２を不透液性裏面シート３に配設したが、このような方法には限定されない。例えば不透液性裏面シート３に金属が含まれており、不透液性裏面シート３から尿へ金属が溶出する可能性が考えられる場合などには、吸収性材料を不透液性裏面シート３に配設した後、金属捕集剤を含む溶液に接触さて、吸収性材料および不透液性裏面シート３の金属を除去する方法としてもよい。
【００７５】
次に、本発明の第１の実施の形態を図３および図４を参照して説明する。なお、上記参考技術と同一の構成及び作用については、同一符号を付してその説明を省略する。
【００７６】
この第１の実施の形態に係る尿検査用衛生材料11は、図３に示すように、不透液性裏面シート12の略中央部に円形状の切取可能部13が設けられている。
【００７７】
切取可能部13は、いわゆる切取線のように間欠的に設けられた貫通孔にて構成され、引っ張ることにより不透液性裏面シート３から切り取りやすく形成されている。
【００７８】
尿検査用衛生材料11において、低金属吸収性部材２にて吸収した尿を回収する際には、まず、図４（ａ）に示すように、低金属吸収性部材２が不透液性裏面シート３の内側に位置し、切取可能部13が外側でかつ先端に位置するように、不透液性裏面シート12の周縁同士を近付けて袋状に折り畳む。
【００７９】
次いで、図４（ｂ）に示すように、不透液性裏面シート12から切取可能部13を切り取って流出開口部14を形成する。
【００８０】
そして、低金属吸収性部材２にて吸収した尿を流出開口部14へ向かって絞り出すように、不透液性裏面シート12を圧迫し低金属吸収性部材２を圧縮させ、尿を流出開口部14から尿検査用衛生材料１外へ流出させて回収する。
【００８１】
このような尿検査用衛生材料11によれば、不透液性裏面シート12に切取可能部13が設けられているため、低金属吸収性部材２にて尿を吸収した後に、切取可能部13を切り取るだけで流出開口部14を容易に形成でき、尿を容易に回収できる。
【００８２】
また、流出開口部14が形成されることにより、流出開口部14へ向かって尿を絞りだせばよいので、尿を回収する際に尿が他の部分から不意に漏出しにくく、正確に回収できるとともに、回収する際に回収者が尿に触れることを防止できる。
【００８３】
なお、上記第１の実施の形態では、切取可能部13が円形状の構成としたが、このような構成には限定されず、切取可能部13の形状は適宜設計できる。
【００８４】
次に、第２の実施の形態を図５および図６を参照して説明する。なお、上記参考技術および実施の形態と同一の構成及び作用については、同一符号を付してその説明を省略する。
【００８５】
この第２の実施の形態に係る尿検査用衛生材料21は、図５（ａ）および図５（ｂ）に示すように、不透液性裏面シート22は、折り畳み可能な長方形状である。
【００８６】
また、この不透液性裏面シート22は、長手方向の中心に位置する折畳線23にて折り畳まれた状態における略中央部に低金属吸収性部材２が配設されている。
【００８７】
尿検査用衛生材料21を装着する際には、図５（ａ）および図５（ｂ）に示すような低金属吸収性部材２が外側に位置した状態にて装着される。
【００８８】
また、低金属吸収性部材２にて吸収した尿を回収する際には、図６（ａ）および図６（ｂ）に示すように、不透液性裏面シート22の内側に低金属吸収性部材２が位置するように折畳線23を基準にして不透液性裏面シート22を折り返す。
【００８９】
そして、このような折返状態の不透液性裏面シート22にて低金属吸収性部材２を挟み込んだ状態にて、不透液性裏面シート３を圧迫し低金属吸収性部材２を圧縮させ、低金属吸収性部材２に吸収されている尿を絞り出して回収する。
【００９０】
このような尿検査用衛生材料21によれば、低金属吸収性部材２にて吸収した尿を回収する際に、不透液性裏面シート22にて低金属吸収性部材２を挟み込むように不透液性裏面シート22を折り返すことができるので、回収者が低金属吸収性部材２や尿に触れることを防止できる。
【実施例】
【００９１】
以下、本実施例および比較例について説明する。
【００９２】
まず、比較例である未処理ガーゼを用い、吸収前後における尿のカルシウム濃度比較試験を行った。
【００９３】
この未処理ガーゼによる試験では、ビニール袋内で原尿Ａ４ｍｌに、０．６５ｇの未処理ガーゼを浸漬させた。
【００９４】
また、浸漬させて１時間静置した後、ビニール袋の端を切り取って未処理ガーゼから回収尿Ｂを絞り出して回収し、回収尿Ｂのカルシウム濃度を測定した。
【００９５】
なお、以下の各試験におけるカルシウム濃度はＩＣＰ発光分光光度計で測定した。また、未処理ガーゼによるカルシウム濃度比較試験では、同じ条件で検体を１０個作成し、それぞれのカルシウム濃度を測定した。この回収尿Ｂおよび原尿Ａのカルシウム濃度を表１に示す。
【００９６】
【表１】
0005717613.tif 000002
【００９７】
表１に示すように、回収尿Ｂと原尿Ａと比較すると、各検体におけるカルシウム濃度が２．２〜９．２ｐｐｍ増加し、平均４．２ｐｐｍ増加した。すなわち、原尿Ａより回収尿Ｂのカルシウム量が増加しており、未処理ガーゼに含まれているカルシウム成分が尿と共に絞り出されたと考えられる。
【００９８】
次に、実施例である金属捕集剤としてのクエン酸水溶液を用いてクエン酸処理したクエン酸処理ガーゼを用い、吸収前後における尿のカルシウム濃度比較試験を行った。
【００９９】
クエン酸処理では、０．０５Ｍ濃度のクエン酸水溶液２３０ｍｌ（約２０℃）にガーゼ１５ｇを浸し、ガーゼがクエン酸水溶液内で均等に浸漬されるように、ガラス棒でガーゼを押しながら攪拌し静置した。
【０１００】
９０分静置後、クエン酸水溶液からガーゼを取り出し、洗浄して乾燥させてクエン酸処理ガーゼを形成した。
【０１０１】
そして、ビニール袋内で、原尿Ａ４ｍｌに０．６５ｇのクエン酸処理ガーゼを浸漬させた。
【０１０２】
また、浸漬させて１時間静置した後、ビニール袋の端を切り取ってクエン酸処理ガーゼから回収尿Ｃを絞り出して回収し、回収尿Ｃのカルシウム濃度を測定した。なお、クエン酸処理ガーゼによるカルシウム濃度比較試験では、同じ条件で検体を１０個作成し、それぞれのカルシウム濃度を測定した。この回収尿Ｃおよび原尿Ａのカルシウム濃度を表２に示す。
【０１０３】
【表２】
0005717613.tif 000003
【０１０４】
表２に示すように、回収尿Ｃと原尿Ａとを比較すると、各検体におけるカルシウム濃度が−５．８〜２．３ｐｐｍ変化し、平均０．６ｐｐｍ減少した。
【０１０５】
すなわち、回収尿Ｃと原尿Ａとはカルシウム濃度が略同等であり、クエン酸処理ガーゼからは、ほとんど尿にカルシウム成分が溶出していなかった。
【０１０６】
上記実施例および比較例のカルシウム濃度比較試験の結果より、金属捕集剤であるクエン酸の水溶液にガーゼを接触させることにより、ガーゼのカルシウム成分を除去できることが分かる。
【０１０７】
また、カルシウム濃度比較試験に用いた原尿Ａ（検体１〜２０）のカルシウム濃度は０．４〜１８０．５５ｐｐｍで、平均値が４．３ｐｐｍである。平均値に基づいて判断すると、実施例であるクエン酸処理ガーゼを使用した場合の回収尿Ｃは、カルシウム濃度が３．７ｐｐｍ（原尿Ａ（４．３ｐｐｍ）＋原尿Ｃ（−０．６ｐｐｍ））となる。よって、回収尿Ｃは、原尿と略同等の濃度であり検査結果にそれほど影響が出ない。これに対して、比較例である未処理ガーゼを使用した場合の回収尿Ｂは、カルシウム濃度が８．５ｐｐｍ（原尿Ａ（４．３ｐｐｍ）＋原尿Ｂ（４．２ｐｐｍ））となるので、検査結果への影響が大きく、正確に検査を実施できない可能性がある。
【０１０８】
次に、複数種類の吸収性材料を用いてクエン酸処理を行い、クエン酸処理後のクエン酸処理液のカルシウム濃度を測定して、吸収性材料の違いによるカルシウム濃度比較試験を行った。
【０１０９】
吸収性部材としては、ガーゼＡ（白十字株式会社製、製品名テトラーゼ）と、ガーゼＢ（スズラン株式会社製）と、脱脂綿（白十字株式会社製、製品名カットメン）と、コットン不織布（日清紡テキスタイル株式会社製、製品名オイコス、白十字株式会社製、製品名シングルガーゼ）とを用いた。
【０１１０】
図７に示すように、まず、０．０５Ｍ濃度のクエン酸水溶液２３０ｍｌ（約２０℃）に各吸収性材料１５ｇを浸し、吸収性材料がクエン酸水溶液内で均等に浸漬されるように、ガラス棒で吸収性材料を押しながら攪拌し、９０分間静置する。クエン酸水溶液から吸収性材料を取り出し、クエン酸溶液をろ過してクエン酸処理液（検体Ｉ）を得た。
【０１１１】
また、この検体Ｉを回収した各吸収性材料をイオン交換水１０００ｍｌによる洗浄および脱水を４回繰り返した後、各吸収性材料を乾燥させた。
【０１１２】
この乾燥した各吸収性材料を再度クエン酸処理し、クエン酸処理後の浸漬液（検体ＩＩ）を得た。すなわち、再度クエン酸処理後に吸収性材料が取り出されたクエン酸水溶液が浸漬液である。
【０１１３】
そして、このように各吸収性材料をクエン酸処理した後のクエン酸処理液および浸漬液におけるカルシウム濃度を測定し、この結果を表３に示す。
【０１１４】
【表３】
0005717613.tif 000004
【０１１５】
表３に示すように、各吸収性材料をクエン酸処理した後の検体Ｉのカルシウム濃度は、０．５０〜１７．００ｐｐｍであった。
【０１１６】
吸収性材料の種類によってカルシウムの含有量が異なるため、クエン酸処理により溶出するカルシウム量が異なるが、各吸収性材料から除去されたカルシウムがクエン酸水溶液に溶出していることが分かる。なお、同じ吸収性部材であっても原料の産地、生産方法や生産場所およびロットなどが異なればカルシウム含有量が異なると考えられる。
【０１１７】
また、各吸収性材料を再度クエン酸処理した後の検体ＩＩのカルシウム濃度は、０．３３〜０．３９ｐｐｍと低濃度で各吸収性材料で略同等であった。
【０１１８】
再度クエン酸処理する場合には、各吸収性材料をそれぞれクエン酸水溶液に浸す前にイオン交換水で洗浄しているが、イオン交換水に含まれるカルシウム濃度は０．０６ｐｐｍであったので、検体ＩＩに溶出したカルシウムはイオン交換水での洗浄によって吸収性部材に取り込まれたカルシウムを若干含んでいる可能性がある。
【０１１９】
このようなイオン交換水から若干カルシウムが取り込まれたことも考慮し、検体Ｉと検体ＩＩとのカルシウム濃度を比較すると、検体ＩＩは検体Ｉに比べてカルシウム濃度が非常に低く、また、吸収性材料の種類によるカルシウム濃度の違いもほとんどなかったので、再度クエン酸処理を行う際には各吸収性材料から溶出するカルシウム成分がほとんど無かったと考えられる。
【０１２０】
よって、各吸収性材料によって含有するカルシウムの量が異なっていてもクエン酸処理により同等の量までカルシウムを除去できるとともに、クエン酸処理によって尿検査に影響がない程度までカルシウムを除去できることが分かった。
【０１２１】
次に、吸収性材料からカルシウムを除去する溶液の違いによるカルシウム濃度比較試験を行った。
【０１２２】
この試験では、吸収性部材は、上記吸収性材料の違いによるカルシウム濃度比較試験と同じものを用いた。
【０１２３】
また、吸収性材料を処理する処理溶液としては、実施例である０．０５Ｍ濃度のクエン酸水溶液と、実施例である０．０５Ｍ濃度のＥＤＴＡ溶液と、実施例である０．１Ｍ濃度のリン酸緩衝液（リン酸二水素ナトリウム（１９％）＋リン酸水素二ナトリウム（８１％））と、比較例である熱水とを用いた。
【０１２４】
これら各処理溶液を用いて、上記吸収性材料の違いによるカルシウム濃度比較試験と同様に各吸収性材料を処理し、処理後の処理液である検体Ｉを得た。
【０１２５】
そして、各処理溶液に基づく検体Ｉそれぞれのカルシウム濃度を測定し、この結果を表４に示す。
【０１２６】
【表４】
0005717613.tif 000005
【０１２７】
表４に示すように、実施例であるＥＤＴＡ溶液は、クエン酸水溶液と略同等のカルシウムが溶出していた。
【０１２８】
また、実施例であるリン酸緩衝液は、吸収性材料からカルシウムが十分に溶出していたものの、クエン酸水溶液およびＥＤＴＡ溶液に比べてカルシウムの溶出量が若干少なかった。
【０１２９】
一方、比較例である熱水は、吸収性材料からほとんどカルシウムが溶出していなかった。
【０１３０】
これらの結果より、吸収性材料からカルシウムを除去するには、熱水では効果が無く、クエン酸水溶液、ＥＤＴＡ溶液およびリン酸緩衝液を用いることが効果的であり、特に、クエン酸水溶液およびＥＤＴＡ溶液が効果的であることが分かった。
【０１３１】
次に、異なる濃度のクエン酸水溶液を用い、クエン酸水溶液の濃度の違いによるカルシウム濃度比較試験を行った。
【０１３２】
吸収性材料としては、上記吸収性材料の違いによるカルシウム濃度比較試験に用いた各吸収性材料のうち、最もカルシウム含有量が多かった不織布を用いた。
【０１３３】
クエン酸水溶液としては、０．０５Ｍ濃度のクエン酸水溶液と、０．０２５Ｍ濃度のクエン酸水溶液と、０．０１２５Ｍ濃度のクエン酸水溶液とを用いた。
【０１３４】
上記吸収性材料の違いによるカルシウム濃度比較試験と同様に、吸収性材料を各クエン酸水溶液にてクエン酸処理し、クエン酸処理後のクエン酸処理液である検体Ｉを得た。
【０１３５】
そして、各濃度のクエン酸水溶液に基づく検体Ｉそれぞれのカルシウム濃度を測定し、この結果を表５に示す。
【０１３６】
【表５】
0005717613.tif 000006
【０１３７】
上記吸収性材料の違いによるカルシウム濃度比較試験における不織布の場合にも示すように、０．０５Ｍ濃度のクエン酸水溶液を用いた場合には、尿検査にほとんど影響がない程度にカルシウムを除去できる。
【０１３８】
また、この０．０５Ｍ濃度のクエン酸水溶液による結果を基準に他の濃度の結果を検討すると、半分の濃度である０．０２５Ｍ濃度のクエン酸水溶液を用いた場合には、検体Ｉのカルシウム濃度が若干低下した。すなわち不織布から除去できなかった残留カルシウム量が若干増加したと考えられる。
【０１３９】
しかしながら、この残留カルシウム量は、０．７ｐｐｍ（１７．００ｐｐｍ−１６．２７ｐｐｍ）程度であり、原尿Ａのカルシウム濃度の平均は４．３ｐｐｍなので、尿検査の結果にほとんど影響ない程度の量と考えられる。
【０１４０】
一方、さらに半分の濃度である０．０１２５Ｍ濃度のクエン酸水溶液を用いた場合には、検体Ｉのカルシウム濃度が１２．６７ｐｐｍであり、０．０５Ｍ濃度のクエン酸水溶液を用いた場合に比べて、残留カルシウム量は４．３ｐｐｍ（１７．００ｐｐｍ−１２．６７ｐｐｍ）増加した。原尿のカルシウム濃度は４．３ｐｐｍであるので、この程度の量のカルシウムが溶出してしまうと、尿検査の結果に影響が出てしまう可能性がある。
【０１４１】
したがって、吸収性材料として不織布を用いた場合には、０．０２５Ｍ濃度のクエン酸水溶液で尿検査の結果に影響が出ない程度にカルシウムを除去できるので、クエン酸水溶液は、吸収性材料１５ｇあたりで、０．０２５（ｍｏｌ／Ｌ）×０．２３（Ｌ）＝０．００５７５（ｍｏｌ）以上とすることが好ましい。
【０１４２】
この結果から、カルシウムを除去するためのクエン酸の量について検討する。
【０１４３】
クエン酸処理後の０．０５Ｍ濃度のクエン酸水溶液のカルシウム濃度は１７．００ｐｐｍだったので、カルシウムは、１７．００（ｐｐｍ）×２３０（ｍＬ）／４０＝０．００００９７７（ｍｏｌ）となる。クエン酸は、カルシウムと結合してＣａ３（Ｃ６Ｈ５Ｏ７）２（クエン酸カルシウム）を生成するので、クエン酸１ｍｏｌに対してカルシウムが１．５ｍｏｌ結合する。したがって、カルシウム０．００００９７ｍｏｌと結合するクエン酸は理論上、０．００００９７（ｍｏｌ）／１．５＝０．００００６．５１（ｍｏｌ）となる。これに対して０．０５Ｍ濃度のクエン酸水溶液におけるクエン酸は０．０５（ｍｏｌ／Ｌ）×０．２３（Ｌ）＝０．０１１５ｍｏｌである。よって、使用されたクエン酸は、カルシウムに対して０．０１１５ｍｏｌ／０．００００６５ｍｏｌ≒１７７当量となる。
【０１４４】
同様に、０．０２５Ｍ濃度のクエン酸水溶液の場合は、クエン酸処理後のカルシウム濃度が１６．２７ｐｐｍだったので、使用されたクエン酸の量は（０．０２５（ｍｏｌ／Ｌ）×０．２３（Ｌ））／（１６．２７（ｐｐｍ）×２３０（ｍＬ）／４０／１．５）≒９２当量となる。
【０１４５】
また、０．０１２５Ｍ濃度のクエン酸水溶液の場合は、クエン酸処理後のカルシウム濃度が１２．６７ｐｐｍだったので、使用されたクエン酸の量は（０．０１２５（ｍｏｌ／Ｌ）×０．２３（Ｌ））／（１２．６７（ｐｐｍ）×２３０（ｍＬ）／４０／１．５）≒５９当量となる。
【０１４６】
これらの結果から、吸収性材料は、カルシウムと結合するクエン酸の理論値の５９倍程度のクエン酸で処理するとカルシウムが除去しきれない場合があるが、９２倍または１７７倍のクエン酸で処理すると尿検査に影響がでにくい程度にカルシウムが除去される。
【０１４７】
したがって、金属捕集剤であるキレート剤としてのクエン酸は、吸収性材料に含まれる金属としてのカルシウムに結合するクエン酸の理論値の１００倍以上であれば、カルシウムを確実に除去できる。
【産業上の利用可能性】
【０１４８】
本発明は、通常の採尿が難しい例えば未熟児などの新生児の尿検査に用いられる尿検査用衛生材料として利用することができる。
【符号の説明】
【０１４９】
１    尿検査用衛生材料
２    低金属吸収性部材
３    不透液性裏面シート
11    尿検査用衛生材料
12    不透液性裏面シート
21    尿検査用衛生材料
22    不透液性裏面シート
【図１】
0005717613.tif 000007
【図２】
0005717613.tif 000008
【図３】
0005717613.tif 000009
【図４】
0005717613.tif 000010
【図５】
0005717613.tif 000011
【図６】
0005717613.tif 000012
【図７】
0005717613.tif 000013